(57)【要約】      （修正有）【課題】光ピックアップ装置の光記録媒体の径方向に移動において、光記録媒体の中心から最遠に位置する最遠部位に至ったときであっても、対物レンズと光記録媒体との直接的な衝突を回避し、省スペース化が可能な光ピックアップ装置を提供する。【解決手段】光学ヘッド部の光記録媒体の径方向の移動において、光記録媒体の中心から最遠に位置する最遠部位に至ったときは、第一及び第二の対物レンズ６，１０と光記録媒体２５との衝突を和らげる第一及び第二の緩衝部１２，１３の一部が少なくとも該光記録媒体の下側に位置された状態となる。【選択図】図８
2010198699.tif 000002
【特許請求の範囲】
【請求項１】
光記録媒体の径方向に移動可能であり、光学系素子を搭載可能である光学ヘッド部と、
前記光学ヘッド部に設けられ、それぞれ波長の異なるレーザ光を発光する第一及び第二の発光部と、
前記光学ヘッド部に設けられ、前記第一及び前記第二の発光部が発光したレーザ光を前記光記録媒体の記録面に集光し、該光記録媒体からの反射光を集光する第一及び第二の対物レンズと、
前記光学ヘッド部に設けられ、前記第一及び前記第二の対物レンズが集光した反射光を各々受光する第一及び第二の受光部と、
前記第一の対物レンズと前記第二の対物レンズの間の空間を挟むように前記光学ヘッド部に設けられ、該第一及び該第二の対物レンズと前記光記録媒体との衝突を和らげる第一及び第二の緩衝部と、を備え、
前記光学ヘッド部の光記録媒体の径方向の移動において、前記光記録媒体の中心から最遠に位置する最遠部位に至ったときは、前記第一及び前記第二の緩衝部の一部が少なくとも該光記録媒体の下側に位置された状態となる、
光ピックアップ装置。
【請求項２】
前記第一及び前記第二の緩衝部は、前記第一及び前記第二の対物レンズよりも、前記光記録媒体側に突出している、
請求項１に記載の光ピックアップ装置。
【請求項３】
前記第一及び前記第二の緩衝部は、略三角形の形状をしており、該第一の緩衝部と該第二の緩衝部の略三角形の角が対向するように設けられる、
請求項１又は２に記載の光ピックアップ装置。
【請求項４】
前記第一の緩衝部と前記第二の緩衝部とが繋がっている、
請求項１から３の何れか一項に記載の光ピックアップ装置。
【請求項５】
前記第一及び前記第二の対物レンズの縁を各々囲むレンズホルダを更に備え、
前記第一及び前記第二の緩衝部は、前記レンズホルダの間の空間を挟むように前記光学ヘッド部に設けられる、
請求項１から４の何れか一項に記載の光ピックアップ装置。
【請求項６】
前記第一及び前記第二の緩衝部は、前記レンズホルダの一部の縁に沿って設けられる、
請求項５に記載の光ピックアップ装置。
【請求項７】
前記第一及び前記第二の緩衝部は、前記第一及び前記第二の対物レンズの重心のズレを補正する位置に配置される、
請求項１から６の何れか一項に記載の光ピックアップ装置。
【請求項８】
前記第一及び前記第二の緩衝部は、前記第一の対物レンズと前記第二の対物レンズの内、重量が重い方の対物レンズ側より重量が軽い方の対物レンズ側に片寄って配置される、
請求項７に記載の光ピックアップ装置。
【請求項９】
前記第一の発光部は、青色系のレーザ光を発光し、
前記第二の発光部は、赤色系のレーザ光を発光し、
前記第一及び前記第二の緩衝部は、前記第一の対物レンズ側より前記第二の対物レンズ側に片寄って配置される、
請求項７に記載の光ピックアップ装置。
【請求項１０】
請求項１から９の何れか一項に記載の光ピックアップ装置を備え、車載器の一部として設けられる、
光学ドライブ装置。
【発明の詳細な説明】
【技術分野】
【０００１】
本発明は、光ピックアップ装置及び光学ドライブ装置に関する。
【背景技術】
【０００２】
近年、光ディスクは、高密度光記録媒体であるＢＤ（Ｂｌｕ−ｒａｙＤｉｓｃ）の出現により、異なる光学特性を有する複数の種類の光記録媒体に対して、記録／再生を可能にするための光記録媒体装置用の光ピックアップ装置が開発されている。光ピックアップ装置は、異なる光学特性を有する複数の種類の光記録媒体に対応した１つの対物レンズを搭載する方法よりも、各々の種類の光記録媒体に対応した各々の対物レンズを複数搭載する方法の方が、光ピックアップ装置の薄型化という観点において優れている。
【０００３】
また、各々の種類の光記録媒体に対応した各々の対物レンズは、透過する光の性質によって必ずしも同じ材質で形成されるとは限らず、ＣＤ（ＣｏｍｐａｃｔＤｉｓｃ）やＤＶＤ（ＤｉｇｉｔａｌＶｅｒｓａｔｉｌｅＤｉｓｃ）は樹脂製であり、車載環境条件で対応可能なＢＤはガラス製である。従って、光学ヘッド部のレンズアクチュエータ可動部であるレンズホルダの中心付近で各々の対物レンズが振り分けて配置されると、光学ヘッド部の重心バランスが悪くなる。更に、光記録媒体の記録密度が高くなると、ＮＡ（開口数）が大きな対物レンズを使用することになり、該対物レンズと光記録媒体とを接近配置する必要がある。尚、ＢＤに対応した対物レンズの材質は、ガラス製に限定されない。
【０００４】
上記のような光ピックアップ装置は、フォーカス制御が何らかの原因で機能しなくなった又は外れた際に、光記録媒体と衝突する可能性が非常に高い。その際、対物レンズが直接光記録媒体と衝突するとレンズ面にキズが入り、その後のデータ読み取りに影響を及ぼす。また、ガラス製等の硬い対物レンズが光記録媒体に衝突すると、光記録媒体表面にキズを付けてしまう可能性がある。そのため、光ピックアップ装置の光学ヘッド部には、対物レンズと光記録媒体が直接衝突しないように、光記録媒体の保護を目的とした緩衝材等が対物レンズより先に光記録媒体表面に衝突することで、対物レンズと光記録媒体との直接的な衝突を回避させた技術が開発されている（例えば、特許文献１から４を参照）。
【先行技術文献】
【特許文献】
【０００５】
【特許文献１】特開２００８−１３０１３６
【特許文献２】特開２００８−１０８３７６
【特許文献３】特開２００８−８４５０３
【特許文献４】特開２００７−３２８９０２
【発明の概要】
【発明が解決しようとする課題】
【０００６】
図１及び図２は、従来の光ピックアップ装置の対物レンズアクチュエータ１４０を示す概略上面図である。図３及び図４は、従来の光ピックアップ装置の緩衝材１２０、１３０が、光記録媒体２５と接触している様子を表す概略側面図である。図５は、従来の光ピックアップ装置の対物レンズ６０、１００と緩衝材１２０、１３０を示す概略上面図である。対物レンズ６０はＢＤ対応の対物レンズであり、対物レンズ１００はＣＤまたはＤＶＤ対応の対物レンズである。従来の光ヘッド部は、図５に示すように、対物レンズ１００が光記録媒体２５の中心からの半径直線上に配置され、対物レンズ６０が光記録媒体２５の中心からの半径直線上から外れるように配置されている。尚、対物レンズ６０と対物レンズ１００の対物レンズは入れ替えられても良く、又、ＣＤ、ＤＶＤ、ＢＤ対応の対物レン
ズに限定されるものでも無い。
【０００７】
従来のピックアップ装置は、光記録媒体２５の種類に対応した各々の対物レンズ６０、１００を搭載する場合、図１及び図３に示すように、対物レンズ６０、１００の間の空間を挟むように緩衝材１２０、１３０を設け、対物レンズ６０、１００と光記録媒体２５との直接的な衝突を回避させている。また、従来の光ピックアップ装置は、図３に示すように、緩衝材１２０、１３０と光記録媒体２５の衝突時の姿勢をできるだけ安定させている。しかし、従来の光ピックアップ装置は、光記録媒体２５の径方向の移動において、光記録媒体２５の中心から最遠に位置する最遠部位に至ったときは、図１及び図５の（１）に示すように、緩衝材１３０が光記録媒体２５の外側に出てしまい、対物レンズ６０、１００が光記録媒体２５と衝突した際に、緩衝材１２０でしか受けることができない。尚、図５の（２）に示すように、緩衝材１２０、１３０のサイズを大きくしても、緩衝材１３０が光記録媒体２５の外側に出てしまう。更に、図４に示すように、緩衝材１３０が光記録媒体２５の外側に出てしまうことにより対物レンズ６０、１００がずれてしまい、対物レンズ６０、１００と光記録媒体２５とが直接衝突してしまう問題が発生している。
【０００８】
また、従来の光ピックアップ装置は、図２に示すように、緩衝材１５０、１６０が対物レンズ６０、１００を挟むように設けられている。この光ピックアップ装置は、光記録媒体２５の中心から最遠に位置する最遠部位に至ったときであっても、緩衝材１５０、１６０が光記録媒体２５の下側に位置された状態が保持されるが、対物レンズアクチュエータ１４０に緩衝材１５０、１６０を設ける分の幅が必要となり、その結果、光ピックアップ装置と、該光ピックアップ装置を備える光学ドライブ装置のサイズが大きくなる。また、近年、光学ドライブ装置が車載器の一部として設けられる際、光学ドライブ装置の取り付けサイズは、事実上車載機器業界の標準規格であるＤＩＮ規格の、高さ５０ｍｍ×幅１７８ｍｍであり、光学ドライブ装置の小型化が必須の状態にある。従って、図２に示すような、従来の光ピックアップ装置は、小型化には不向きである。
【０００９】
そこで、本発明では、上記した問題に鑑み、光ピックアップ装置の光記録媒体の径方向に移動において、光記録媒体の中心から最遠に位置する最遠部位に至ったときであっても、対物レンズと光記録媒体との直接的な衝突を回避し、省スペース化が可能な光ピックアップ装置を提供することを目的とする。
【課題を解決するための手段】
【００１０】
本発明は、上述した課題を解決するために、緩衝部の配置を工夫した。これにより、対物レンズと光記録媒体との直接的な衝突を回避し、省スペース化が可能な光ピックアップ装置を提供することが可能である。
【００１１】
詳細には、本発明に係る光ピックアップ装置は、光記録媒体の径方向に移動可能であり、光学系素子を搭載可能である光学ヘッド部と、前記光学ヘッド部に設けられ、それぞれ波長の異なるレーザ光を発光する第一及び第二の発光部と、前記光学ヘッド部に設けられ、前記第一及び前記第二の発光部が発光したレーザ光を前記光記録媒体の記録面に集光し、該光記録媒体からの反射光を集光する第一及び第二の対物レンズと、前記光学ヘッド部に設けられ、前記第一及び前記第二の対物レンズが集光した反射光を各々受光する第一及び第二の受光部と、前記第一の対物レンズと前記第二の対物レンズの間の空間を挟むように前記光学ヘッド部に設けられ、該第一及び該第二の対物レンズと前記光記録媒体との衝突を和らげる第一及び第二の緩衝部と、を備え、前記光学ヘッド部の光記録媒体の径方向の移動において、前記光記録媒体の中心から最遠に位置する最遠部位に至ったときは、前記第一及び前記第二の緩衝部の一部が少なくとも該光記録媒体の下側に位置された状態となる。
【００１２】
本発明の光ピックアップ装置は、光学ヘッド部が光記録媒体の径方向に移動可能であり、第一及び第二の発光部と、第一及び第二の対物レンズと、第一及び第二の受光部と、第一及び第二の緩衝部が設けられる。先ず、第一及び第二の発光部は、それぞれ波長の異なるレーザ光を発光することが可能である。尚、実際に光ピックアップ装置を用いる際は、光記録媒体に対応するレーザ光を発光する発光部が用いられ、光記録媒体の種類によって用いられる発光部が異なる。次に、第一及び第二の対物レンズは、光学ヘッド部に並んで設けられ、第一及び第二の発光部が発光したレーザ光を記録媒体の記録面に集光し、光記録媒体からの反射光を集光することが可能である。第一の対物レンズは、第一の発光部が発光したレーザ光に対応し、第二の対物レンズは、第二の発光部が発光したレーザ光に対応する。次に、第一及び第二の受光部は、第一及び第二の対物レンズが集光した反射光を各々の受光することが可能である。第一の受光部は、第一の対物レンズに対応し、第二の受光部は、第二の対物レンズに対応する。
【００１３】
また、第一及び第二の緩衝部は、第一の対物レンズと第二の対物レンズの間の空間を挟むように光学ヘッド部に設けられる。その結果、本発明に係る光ピックアップ装置は、光学ヘッド部に第一及び第二の緩衝部を設ける分の幅が必要ない。従って、本発明に係る光ピックアップ装置は、省スペース化が可能である。更に、第一及び第二の緩衝部は、フォーカス制御が何らかの原因で機能しなくなった又は外れた場合等に、第一及び第二の対物レンズと光記録媒体との直接的な衝突を回避することが可能である。また、本発明に係る光ピックアップ装置は、光学ヘッド部の光記録媒体の径方向の移動において、光記録媒体の中心から最遠に位置する最遠部位に至ったときは、第一及び第二の緩衝部の一部が少なくとも光記録媒体の下側に位置された状態が保持されるため、対物レンズがずれることはない。従って、本発明に係る光ピックアップ装置は、該最遠部位に至ったときであっても、第一の緩衝部と第二の緩衝部の２つの緩衝部によって、第一及び第二の対物レンズと光記録媒体とが直接衝突してしまうことを回避することが可能である。
【００１４】
ここで本発明に係る光ピックアップ装置において、前記第一及び前記第二の緩衝部は、前記第一及び前記第二の対物レンズよりも、前記光記録媒体側に突出していてもよい。その結果、本発明に係る光ピックアップ装置は、第一及び第二の対物レンズと光記録媒体の直接的な衝突を回避することが可能である。
【００１５】
また、本発明に係る光ピックアップ装置において、前記第一及び前記第二の緩衝部は、略三角形の形状をしており、該第一の緩衝部と該第二の緩衝部の略三角形の角が対向するように設けられてもよい。第一及び第二の緩衝部は、略三角形の角が対向するように設けられることにより、第一及び第二の対物レンズとの間の狭い空間にまで、第一及び第二の緩衝部を設けることが可能である。また、本発明に係る光ピックアップ装置は、第一及び第二の緩衝部が簡易な略三角形の形状によって、光学ヘッド部が光記録媒体の中心から最遠に位置する最遠部位に至ったときであっても、第一及び第二の緩衝部の一部が少なくとも光記録媒体の下側に位置された状態が保持され、第一及び第二の対物レンズと光記録媒体の直接的な衝突を回避することが可能である。
【００１６】
本発明に係る光ピックアップ装置は、前記第一の緩衝部と前記第二の緩衝部とが繋がっていてもよい。第一の緩衝部と第二の緩衝部とが繋がっていることにより、第一及び第二の緩衝部と光記録媒体が衝突した際の接触面積が広くなり、衝突する力が分散する。その結果、本発明に係る光ピックアップ装置は、第一及び第二の対物レンズと光記録媒体によりキズを入れ難くすることが可能である。
【００１７】
また、本発明に係る光ピックアップ装置は、前記第一及び前記第二の対物レンズの縁を各々囲むレンズホルダを更に備え、前記第一及び前記第二の緩衝部は、前記レンズホルダの間の空間を挟むように前記光学ヘッド部に設けられてもよい。レンズホルダは、第一の
対物レンズの縁を囲み、該第一の対物レンズを支えて固定し、第二の対物レンズの縁を囲み、該第二の対物レンズを支えて固定する。その結果、本発明に係る光ピックアップ装置は、光学ヘッド部が光記録媒体の径方向に安定して移動し、フォーカス制御の安定性を向上させることが可能である。また、第一及び第二の緩衝部が、レンズホルダの間の光学ヘッド部に設けられる。その結果、本発明に係る光ピックアップ装置は、第一及び第二の緩衝部と光記録媒体の衝突時、安定した状態で衝突を受け止め、第一及び第二の対物レンズと光記録媒体とが直接衝突してしまうことを回避することが可能である。
【００１８】
更に、本発明に係る光ピックアップ装置において、前記第一及び前記第二の緩衝部は、前記レンズホルダの縁に沿って設けられてもよい。第一及び第二の緩衝部がレンズホルダの縁に沿って設けられることにより、該第一及び該第二の緩衝部の位置決め精度が向上し、レンズホルダの間の空間を有効に利用することが可能である。その結果、本発明に係る光ピックアップ装置は、第一及び第二の緩衝部と光記録媒体が衝突した際の接触面積が広くなり、衝突する力が分散する。従って、本発明に係る光ピックアップ装置は、第一及び第二の対物レンズと光記録媒体にキズを入れ難くすることが可能である。
【００１９】
ここで本発明に係る光ピックアップ装置において、前記第一及び前記第二の緩衝部は、前記第一及び前記第二の対物レンズの重心のズレを補正する位置に配置されてもよい。また、前記第一及び前記第二の緩衝部は、前記第一の対物レンズと前記第二の対物レンズの内、重量が重い方の対物レンズ側より重量が軽い方の対物レンズ側に片寄って配置されてもよい。
【００２０】
第一の対物レンズと第二の対物レンズは、透過する光の性質によって必ずしも同じ材質で形成されるとは限らないため、各々の重量が異なることがある。その結果、光学ヘッド部に第一及び第二の対物レンズを設けた際に、レンズアクチュエータ可動部の重心バランスが悪く、光学ヘッド部が光記録媒体の径方向に移動する際、安定した状態で移動をすることができない場合がある。そこで、第一及び第二の緩衝部は、第一の対物レンズと第二の対物レンズの内、重量が重い方の対物レンズ側よりも重量が軽い方の対物レンズ側に配置されることにより、重心のズレを補正することが可能である。従って、本発明に係る光ピックアップ装置は、光学ヘッド部が光記録媒体の径方向に安定して移動することにより、フォーカス制御の安定性が向上し、第一及び第二の対物レンズと光記録媒体にキズを入れ難くすることが可能である。
【００２１】
また、本発明に係る光ピックアップ装置において、前記第一の発光部は、青色系のレーザ光を発光し、前記第二の発光部は、赤色系のレーザ光を発光し、前記第一及び第二の緩衝部は、前記第一の対物レンズよりも前記第二の対物レンズ側に片寄って配置されてもよい。
【００２２】
青色系のレーザ光を発光する第一の発光部は、光記録媒体がＢＤである場合に対応することが可能である。尚、車載環境条件で対応可能な青色系のレーザ光に対応する第一の対物レンズは一般的にガラス製である。一方、赤色系のレーザ光を発光する第二の発光部は、光記録媒体がＣＤやＤＶＤである場合に対応することが可能である。尚、赤色系のレーザ光に対応する第二の対物レンズは樹脂製である。ガラス製の第一の対物レンズと、樹脂製の第二の対物レンズの重さを比較すると、ガラス製の第一の対物レンズの方が重いため、光学ヘッド部の重心位置が第一の対物レンズ側にずれる。そこで、第一及び第二の緩衝部が、重さの軽い第二の対物レンズ側に近寄って配置されることにより、光学ヘッド部の重心のズレを補正することが可能である。従って、本発明に係る光ピックアップ装置は、光学ヘッド部が光記録媒体の径方向に安定して移動することにより、フォーカス制御の安定性が向上し、第一及び第二の対物レンズと光記録媒体にキズを入れ難くすることが可能である。
【００２３】
また、光ピックアップ装置を備える光学ドライブ装置は、車載器の一部として設けられてもよい。光学ドライブ装置が車載器の一部として設けられる際、光学ドライブ装置の取り付けサイズは、事実上車載機器業界の標準規格であるＤＩＮ規格の、高さ５０ｍｍ×幅１７８ｍｍであり、光学ドライブ装置の小型化が必須の状態にある。また、光学ドライブ装置の奥行きに関しても、他に車に搭載される車載機器の関係上、制約事項が多い。従って、本発明に係る光学ドライブ装置は、第一及び第二の緩衝部が第一及び第二の対物レンズの間の空間を挟むように光学ヘッド部に設けられることにより、光学ドライブ装置の小型化、省スペース化が可能であり、車載器の一部として設けることに適している。
【発明の効果】
【００２４】
本発明によれば、光学ヘッド部の径方向に移動において、光ピックアップ装置の光記録媒体の径方向に移動において、光記録媒体の中心から最遠に位置する最遠部位に至ったときであっても、対物レンズと光記録媒体との直接的な衝突を回避し、省スペース化が可能な光ピックアップ装置を提供することが可能である。
【図面の簡単な説明】
【００２５】
【図１】従来の光ピックアップ装置のアクチュエータを示す概略上面図である。
【図２】従来の光ピックアップ装置のアクチュエータを示す概略上面図である。
【図３】従来の光ピックアップ装置における緩衝部と光記録媒体とが接触している状態を示す側面図である。
【図４】従来の光ピックアップ装置における緩衝部と光記録媒体の縁部とが接触している状態を示す側面図である。
【図５】従来の光ピックアップ装置の対物レンズと緩衝部を示す概略上面図である。
【図６】本発明の光ピックアップ装置を備えた光学ドライブ装置を示す概略上面図である。
【図７】本発明の光ピックアップ装置における光学ヘッド部の概略斜視図である。
【図８】本発明の光ピックアップ装置における光学ヘッド部に設けられたアクチュエータの概略上面図である。
【図９】本発明の光ピックアップ装置における第一の緩衝部及び第二の緩衝部の形状パターンを示す概略上面図である。
【発明を実施するための形態】
【００２６】
ここで、本発明の実施例に係る光ピックアップ装置２及び光学ドライブ装置１について、図面に基づいて説明する。以下に示す実施例は例示であり、本発明はこれらに限定されるものではない。図６は、本発明の実施例の光ピックアップ装置２を備えた光学ドライブ装置１を示す概略上面図である。図７は、本発明の光ピックアップ装置２における光学ヘッド部３の概略斜視図である。図８は、本発明の光ピックアップ装置２における光学ヘッド部３に設けられた対物レンズ対物レンズアクチュエータ１４の概略上面図である。尚、本発明の実施例に係る光学ドライブ装置１は、車載機器の一部として設けられ、例えばカーオーディオである。
【００２７】
本発明の実施例に係る光学ドライブ装置１の各構造について説明する。本発明の実施例に係る光学ドライブ装置１は、図６に示すように、筐体２２、ドライブベース２１（斜線部）、振動緩和部２３、及び光ピックアップ装置２を主な構成とする。以下、各構成について具体的に説明する。
【００２８】
先ず、筐体２２について説明する。筐体２２は、略正方形状の薄型であり、振動緩和部２３を介してドライブベース２１を支持収容している。また、筐体２２は、パーソナルコンピュータ等の情報処理装置や各種映像音声機器に収容可能である。また、筐体２２は、
該筐体２２の外部からの衝撃等から、該筐体２２の内部に収容されている部品を保護することが可能であり、例えば金属でできている。
【００２９】
ドライブベース２１について説明する。ドライブベース２１は、筐体２２内に設けられ、スピンドルモータ２４と光ピックアップ装置２が設置される。スピンドルモータ２４は、ドライブベース２１の略中央部に設けられ、光記録媒体２５の中心の孔（不図示）と嵌合し、スピンドルモータ２４が回転することにより、光記録媒体２５を回転させることが可能である。光記録媒体２５は、例えば直径１２０ｍｍのＣＤ、ＤＶＤ、又はＢＤ等の光ディスクである。
【００３０】
振動緩和部２３は、筐体２２の角部内側に４箇所設けられ、ドライブベース２１及び光ピックアップ装置２に伝わる振動を緩和することが可能である。従って、振動緩和部２３は、光ピックアップ装置２が光記録媒体２５に発光するレーザ光や、光記録媒体２５からの反射光が、ドライブベース２１や光ピックアップ装置２に振動が伝わることによるずれを防止し、音飛び及びエラーの発生を抑制することが可能である。振動緩和部２３は、衝撃を弱めたり、振動が伝わるのを止めたりするためのダンパ機能を有し、ベース支持は不図示のスプリング等で行う。
【００３１】
光ピックアップ装置２は、図６から図８に示すように、光学ヘッド部３、送り軸２６、第一の発光部４、第一の受光部５、第一の対物レンズ６、第二の発光部８、第二の受光部９、第二の対物レンズ１０、第一の緩衝部１２、及び第二の緩衝部１３を主な構成とする。以下、光ピックアップ装置２について、図６から図８に基づき具体的に説明する。
【００３２】
光学ヘッド部３について説明する。光学ヘッド部３は、光記録媒体２５の径方向に移動可能であり、光学系素子を搭載可能である。光記録媒体２５の媒体表面にレーザ光を発光し、その反射をデータとして読み取る駆動部である。光学ヘッド部３には、第一の発光部４、第一の受光部５、第一の対物レンズ６、第二の発光部８、第二の受光部９、第二の対物レンズ１０、第一の緩衝部１２、及び第二の緩衝部１３が設けられる。
【００３３】
送り軸２６について説明する。送り軸２６は、図６に示すように、光記録媒体２５の中心から筐体２２及びドライブベース２１の角部方向に配置される。送り軸２６は、光学ヘッド部３を移動させる主軸１６と副軸１７とを有し、該主軸１６と該副軸１７は、各々平行に設けられる。また、主軸１６は、副軸１７よりも筐体２２及びドライブベース２１の角部方向に近い位置に配置され、副軸１７よりも径が太い。主軸１６は、送りネジ１８を有し、該送りネジ１８の光記録媒体２５の中心方向の端部には、軸受け２０が設けられている。光学ヘッド部３の送りネジ１８と対向する部位に、送りネジ１８とかみ合う送り機構１９が設けられ、軸用モータ部１５が送りネジ１８を回転することによって、光学ヘッド部３が、光記録媒体２５の中心から筐体２２の角部方向の間を移動することが可能である。尚、軸用モータ部１５は、一定の間隔で瞬間的に電流量を変動させるパルス状の入力電流によって駆動するステッピングモータ等である。尚、送り軸２６は、光学ヘッド部３を径方向に移動することができればよく、主軸１６と副軸１７の両方を有さなくてもよい。
【００３４】
第二の発光部８、第二の対物レンズ１０及び第二の受光部９について説明する。第二の発光部８は、図７に示すように、光学ヘッド部３の主軸１６側に設けられ、ＣＤやＤＶＤの光記録媒体２５に対応する赤色系のレーザ光を折り曲げミラー（不図示）に向かって発光する。レーザ光は、第二の折り曲げミラー（不図示）によって反射偏向され、第二の折り曲げミラー（不図示）と対物レンズアクチュエータ１４の間に設けられた第二のコリメートレンズ（不図示）を通過し、立上ミラー（不図示）によって光記録媒体２５の記録面方向に反射偏向され、第二の対物レンズ１０に向かう。レーザ光は、第二のコリメートレ
ンズ（不図示）を通過することによって、集光し平行になる。尚、第二の発光部８が発光するレーザ波長は、光記録媒体２５がＣＤの場合は７８０ｎｍであり、光記録媒体２５がＤＶＤの場合は６５０ｎｍである。
【００３５】
第二の対物レンズ１０は、図７に示すように、光学ヘッド部３の中央部に設けられた対物レンズアクチュエータ１４に配置されており、光記録媒体２５がＣＤの場合は７８０ｎｍ、光記録媒体２５がＤＶＤの場合は６５０ｎｍのレーザに対応する対応する対物レンズである。また、第二の対物レンズ１０は、第二の発光部８が発光したレーザ光を光記録媒体２５の記録面に集光し、光記録媒体２５からの反射光を集光する。尚、第二の対物レンズ１０は、図８に示すように、光記録媒体２５の中心からの半径直線上に配置されているが、これらの配置に限定されない。
【００３６】
そして、第二の受光部９は、第二の対物レンズ１０が集光した反射光を受光する。第二の受光部９からの出力は、図示しない信号検出回路に入力され、光記録媒体２５の再生信号、フォーカシングエラー信号及びトラッキングエラー信号が生成される。これらフォーカシングエラー信号及びトラッキングエラー信号のサーボエラー信号から適切な駆動信号を生成し、対物レンズアクチュエータ１４を駆動する。
【００３７】
第一の発光部４、第一の対物レンズ６、及び第一の受光部５について説明する。第一の発光部４は、図７に示すように、光学ヘッド部３の副軸１７側に設けられ、光記録媒体２５がＢＤである場合に対応する青色系のレーザ光を第一の折り曲げミラー（不図示）に向かって発光する。レーザ光は、第一の折り曲げミラー（不図示）によって反射偏向され、第一の折り曲げミラー（不図示）と対物レンズアクチュエータ１４の間に設けられた第一のコリメートレンズ（不図示）を通過し、立上ミラー（不図示）によって光記録媒体２５の記録面方向に反射偏向され、第一の対物レンズ６に向かう。レーザ光は、第一のコリメートレンズ（不図示）を通過することによって、略平行な光になる。また、第一の発光部４が発光するレーザ波長は４０５ｎｍの短波長である。
【００３８】
第一の対物レンズ６は、光学ヘッド部３の中央部に設けられた対物レンズアクチュエータ１４に配置されており、ＢＤ対応の対物レンズである。また、第一の対物レンズ６は、第一の発光部４が発光したレーザ光を光記録媒体２５の記録面に集光し、光記録媒体２５からの反射光を集光する。尚、第一の対物レンズ６は、図８に示すように、光記録媒体２５の中心からの半径直線上から外れるように配置されているが、これらの配置に限定されない。
【００３９】
第一の受光部５は、光学ヘッド部３の副軸１７側に設けられ、ＢＤに対応する受光部であり、第一の対物レンズ６が集光した反射光を受光する。第一の受光部５からの出力は、図示しない信号検出回路に入力され、光記録媒体２５の再生信号、フォーカシングエラー信号及びトラッキングエラー信号が生成される。これらフォーカシングエラー信号及びトラッキングエラー信号から適切な駆動信号を生成し、対物レンズアクチュエータ１４に入力され、信号再生が正しく行われるよう、第一の対物レンズ６を位置決めするのに用いられる。
【００４０】
また、本発明の実施例に係る光ピックアップ装置２における光学ヘッド部３は、図７及び図８に示すように、第一の対物レンズ６の縁と、第二の対物レンズ１０の縁を囲み、レンズ可動部となるレンズホルダ７を備える。その結果、本発明の実施例に係る光ピックアップ装置２は、光学ヘッド部３が光記録媒体２５の中心から光記録媒体２５の径方向に安定して移動し、フォーカス制御の安定性を向上させることが可能である。
【００４１】
次に、第一の緩衝部１２と第二の緩衝部１３について説明する。第一の緩衝部１２及び
第二の緩衝部１３は、図８に示すように、レンズホルダ７の間の空間を挟むように設けられる。尚、第一の緩衝部１２は、光記録媒体２５の中心側に設けられ、第二の緩衝部１３は、光記録媒体２５の縁側に設けられる。従って、本発明の実施例に係る光ピックアップ装置２は、光学ヘッド部３に第一の緩衝部１２と第二の緩衝部１３を設ける分の幅が必要ないため、省スペース化が可能である。また、本発明の実施例に係る光ピックアップ装置２は、光学ヘッド部３の光記録媒体２５の径方向の移動において、光記録媒体２５の中心から最遠部位に至ったときは、第一の緩衝部１２及び第二の緩衝部１３の一部が少なくとも光記録媒体２５の下側に位置された状態が保持されるため、第一の対物レンズ６及び第二の対物レンズ１０がずれることはない。従って、本発明の実施例に係る光ピックアップ装置２は、光記録媒体２５の中心から最遠に位置する最遠部位に至ったときであっても、第一の緩衝部１２と第二の緩衝部１３の２つの緩衝部によって第一の対物レンズ６及び第二の対物レンズ１０と光記録媒体２５とが直接衝突してしまうことを回避することが可能である。尚、第一の緩衝部１２と第二の緩衝部１３は、第一の対物レンズ６及び第二の対物レンズ１０よりも、光記録媒体２５側に突出している。また、本発明の実施例に係る光ピックアップ装置２は、レンズホルダ７によって光学ヘッド部３が光記録媒体２５の中心から光記録媒体２５の径方向に安定して移動するため、第一の緩衝部１２及び第二の緩衝部１３と光記録媒体２５の衝突時、安定した状態で衝突を受け止めることが可能である。
【００４２】
次に、第一の緩衝部１２及び第二の緩衝部１３の形状パターンについて説明する。図９は、本発明の実施例に係る光ピックアップ装置２における第一の対物レンズ６及び第二の対物レンズ１０の間の空間を挟むように設けられた第一の緩衝部１２及び第二の緩衝部１３の形状パターンを示す概略上面図である。尚、以下に示す形状パターンは例示であり、本発明はこれらに限定されるものではない。
【００４３】
第一の緩衝部１２及び第二の緩衝部１３は、図８及び図９の（１）に示すように、略三角形の形状をし、第一の緩衝部１２と第二の緩衝部１３の略三角形の角が対向するように設けられる。その結果、本発明の実施例に係る光ピックアップ装置２は、第一の緩衝部１２及び第二の緩衝部１３が簡単な略三角形の形状によって、第一の対物レンズ６及び第二の対物レンズ１０との間の狭い空間にまで、第一の緩衝部１２及び第二の緩衝部１３を設けることが可能である。
【００４４】
また、第一の緩衝部１２及び第二の緩衝部１３は、図９の（２）に示すように、繋がっていている。この場合の第一の緩衝部１２と第二の緩衝部１３作成方法は、接着剤等の流体物をレンズホルダ７の間に流し込むことにより、作成することが可能である。第一の緩衝部１２と第二の緩衝部１３とが繋がっていることにより、第一の緩衝部１２及び第二の緩衝部１３と光記録媒体２５が衝突した際の接触面積が広くなり、衝突する力が分散する。その結果、本発明の実施例に係る光ピックアップ装置２は、第一の対物レンズ６及び第二の対物レンズ１０と光記録媒体２５にキズを入れ難くすることが可能である。
【００４５】
他には、第一の緩衝部１２及び第二の緩衝部１３は、図９の（３）に示すように、レンズホルダ７の縁に沿って設けられる。その結果、第一の緩衝部１２及び第二の緩衝部１３の位置決め精度が向上し、レンズホルダ７の間の空間を有効に利用することが可能である。その結果、本発明の実施例に係る光ピックアップ装置２は、第一の緩衝部１２及び第二の緩衝部１３と光記録媒体２５が衝突した際の接触面積が広くなり、衝突する力が分散する。その結果、本発明の実施例に係る光ピックアップ装置２は、第一の対物レンズ６及び第二の対物レンズ１０と光記録媒体２５にキズを入れ難くすることが可能である。
【００４６】
また、第一の緩衝部１２及び第二の緩衝部１３は、図９の（４）から（６）に示すように、第一の対物レンズ６側より第二の対物レンズ１０側に片寄って配置される。図９の（４）に示す図は、図９の（１）に示した第一の緩衝部１２及び第二の緩衝部１３を、図９
の（５）に示す図は、図９の（２）に示した第一の緩衝部１２及び第二の緩衝部１３を、図９の（６）に示す図は、図９の（３）に示した第一の緩衝部１２及び第二の緩衝部１３を、第一の対物レンズ６側より第二の対物レンズ１０側に片寄って配置させた図である。第一の対物レンズ６は青色系のレーザ光に対応し、ガラス製である。一方、第二の対物レンズ１０は赤色系のレーザ光に対応し、樹脂製である。ガラス製の第一の対物レンズ６と、樹脂製の第二の対物レンズ１０の重さを比較すると、ガラス製の第一の対物レンズ６の方が重いため、光学ヘッド部３の重心位置が第一の対物レンズ６側にずれる。そこで、第一の緩衝部１２及び第二の緩衝部１３が、第一の対物レンズ６側より第二の対物レンズ１０側に片寄って配置されることにより、光学ヘッド部３の重心のズレを補正することが可能である。従って、本発明の実施例に係る光ピックアップ装置２は、光学ヘッド部３が光記録媒体２５の径方向に安定して移動し、フォーカス制御の安定性を向上させることが可能である。また、第一の緩衝部１２及び第二の緩衝部１３は、光学ヘッド部３の光記録媒体２５の径方向の移動において、光記録媒体２５の中心から最遠に位置する最遠部位に至ったときは、第一の緩衝部１２及び第二の緩衝部１３の一部が少なくとも光記録媒体２５の下側に位置された状態が保持される。その結果、本発明の実施例に係る光ピックアップ装置２は、第一の対物レンズ６及び第二の対物レンズ１０と光記録媒体２５の直接的な衝突を回避することが可能である。
【００４７】
更に、光学ヘッド部３を備える光学ドライブ装置１が車載器の一部として設けられる際、光学ドライブ装置１の取り付けサイズは、事実上車載機器業界の標準規格であるＤＩＮ規格の、高さ５０ｍｍ×幅１７８ｍｍであり、光学ドライブ装置１の小型化が必須の状態にある。また、光学ドライブ装置１の奥行きに関しても、他に車に搭載される車載機器の関係上、制約事項が多い。従って、本発明の実施例に係る光学ドライブ装置１は、第一の緩衝部１２及び第二の緩衝部１３がレンズホルダ７の間の空間を挟むように設けられることにより、光学ドライブ装置１の小型化、省スペース化が可能であるため、車載器の一部として設けることに適している。
【符号の説明】
【００４８】
１・・・光学ドライブ装置
２・・・光ピックアップ装置
３・・・光学ヘッド部
４・・・第一の発光部
５・・・第一の受光部
６・・・第一の対物レンズ
７・・・レンズホルダ
８・・・第二の発光部
９・・・第二の受光部
１０・・・第二の対物レンズ
１２・・・第一の緩衝部
１３・・・第二の緩衝部
１４・・・対物レンズアクチュエータ
１５・・・軸用モータ部
１６・・・主軸
１７・・・副軸
１８・・・送りネジ
１９・・・送り機構
２０・・・軸受け
２１・・・ドライブベース
２２・・・筐体
２３・・・振動緩和部
２４・・・スピンドルモータ
２５・・・光記録媒体
【図１】
2010198699.tif 000003
【図２】
2010198699.tif 000004
【図３】
2010198699.tif 000005
【図４】
2010198699.tif 000006
【図５】
2010198699.tif 000007
【図６】
2010198699.tif 000008
【図７】
2010198699.tif 000009
【図８】
2010198699.tif 000010
【図９】
2010198699.tif 000011